(57)【特許請求の範囲】
【請求項１】
規制内でドローンの操縦技術を習得させるために、規制された特定の場所の周囲をドローンが飛び出さないように囲い、練習でドローンが高く飛べる必要にして充分な高さを確保し、外部から横風が入らず、雨を遮断するがGPSが通過する天井を有するドローン練習場であって、
前記規制は、建築基準法において建築物の高さを地上から所定の高さまでに制限する規制であり、
前記規制された特定の場所は、地表から５mの深さを掘り下げることで、前記練習でドローンが高く飛べる必要にして充分な高さを、前記所定の高さに前記の深さを加えた高さとしたことを特徴とするドローン練習場。
【発明の詳細な説明】
【技術分野】
【０００１】
本発明はドローンの練習、訓練を行うことができるドローンの練習場に関する。ここで、ドローンとは小型無人の飛行体をいうものとする。
【背景技術】
【０００２】
本発明者は１９４０年に世界初のドローンの発明者であり、東大航空研究会会長、ドローン飛行協会理事長として、最近のドローン事故を深く憂うるものである。
ドローンは小型無人の飛行体であり、ホーバリング機能を有しているのが特徴である。このホーバリング機能は、プロペラを回転させて空中にとどまる機能のことである。これがために、特定領域の写真を撮影したり、食料その他のものを落下させたり、特定領域の圧力や温度等を測定することができる。つい最近、東電の福島原発の汚染された部屋の中の写真をとるのに利用された。１週間ほど前には首相官邸屋上にドローンが落下して問題になり、また三社祭予告で逮捕された問題もあった。
【発明の概要】
【発明が解決しようとする課題】
【０００３】
前記の如くドローンの事故が多発している。これを防止するにはどうすればよいか。公園や広場での使用も禁止される規制がかけられる方向である。すると、初心者は練習をする場所がなく、操作法も未熟で事故を起こす。都心部は建物の１０ｍの高さ制限があり、練習のための充分な高さの建物がない。
一方、室内や体育館で練習しようとしてもＧＰＳが効かず飛行できないので、本発明の如く特殊な練習場が必要となる。
【０００４】
ドローンの飛行をうまく行うことができるようなるには、リモコンの操作に慣れなければならない。その意味で、ドローン練習場でその飛行練習を繰り返し行うことが必要である。
本発明はこのような課題に鑑みてなされたものであって、規制を教え、事故を起こさず、安全な飛行を正確に行う練習を行うことができるドローンの練習場を提供することを目的としている。
【課題を解決するための手段】
【０００５】
前記した課題を解決する本発明は、規制を教育しドローンの操縦技術を習得させるために、周囲をコンクリートなどで囲んで他に害を与えず、高さが充分あり、ＧＰＳも使用し得る所定の広さの空間を設けることが必要である。
【発明の効果】
【０００６】
本発明により、ドローンによる事故やトラブルを未然に防ぎ、公共への害を事前に除去することができる訓練を、公園や空地を使用せず、高さ制限のある都心でも高さ制限以上の高さまで練習することができる。また、体育館や室内ではＧＰＳが効かないので、本発明の練習場によってのみドローン練習が可能である。
【図面の簡単な説明】
【０００７】
【図１】本発明の実施例１の断面図
【図２】本発明の実施例２の断面図
【図３】本発明の実施例３の断面図
【図４】本発明の実施例４の断面図
【発明を実施するための形態】
【０００８】
以下、図面を参照して本発明の実施例を詳細に説明する。
図１は本発明の実施例１の断面図である。図において、壁１,２とで囲まれた空間でドローン１０の飛行練習を行う。
現在の建築基準法では、都心では地上１０ｍに規制されている地域があり、ドローン練習の充分な高さを得られないので、地面の表面からＨ３だけ掘り下げ１０＋Ｈ３とする。ハッチングは地面を示している。
【０００９】
このＨ３の長さとしては、５ｍ掘り下げるとすると、ドローン１０の上下方向の飛行空間の高さＨ２はＨ１+Ｈ３の１５ｍの高さを確保できる。壁１,２の材料としては、例えばコンクリートが用いられる。Ｗは練習場の横幅を示し、２０ｍ程度が適切である。天空が空いているので、ＧＰＳが使用できる。
【００１０】
前記の如く高さを確保し、周囲を囲っているので、外には飛び出さない。また、外部の風に吹かれることがないので、ドローンの着陸,離陸,Ｕターン,急上昇,急下降の練習が思う存分できる。初心者がドローンの操縦になれてくると、所定の高度からの写真撮影、物品の落下、速度計測,温度計測等の練習を行うことができるようになる。
【００１１】
図２は本発明の実施例２の断面図である。実施例１との違いは、雨天で練習が可能なように天井３が張られている。しかし本発明では、ドローンの操縦のためＧＰＳを働かせるため、天井はコンクリートや鉄板ではない電波を通すもの、例えば、テフロン加工したシート等を使用する。
【００１２】
図３は本発明の実施例３の断面図である。この実施例は、壁２に操縦者６も使用できるバルコニーや観客席や通路５を設けたものである。７はドローン１０のリモコンである。ここで、高さＨ４は３ｍ程度としてもよい。このような実施例によれば、操縦者６が地面に立って操縦するより、飛び上がったドローン１０が近くに見えるので、操縦がしやすいという特徴がある。
【００１３】
図４は本発明の実施例４の断面図である。この実施例はビル２８の中に練習場２９を設けた実施例である。この実施例物は、地下１階、地上３階のものを示している。図１の壁に相当する部分に、書庫２０,車庫２１,,住宅書庫２３,共同住宅入口ホール２４,住戸２６,住宅２７を設け、これに囲まれた空間が飛行できる練習場となっている。なお、共同住宅通路２２,２５が第３図のバルコニーの機能を行う実施例である。
【産業上の利用可能性】
【００１４】
近年、ドローンは産業界のあらゆる分野で用いられるようになってきているが、事故が多発している。これを防止するためには練習する場所が必要であるが、公園、空地は使用許可が規制され、練習ができなくなる。そこで、本願の練習場により高さ１０ｍ制限の都心でも１０ｍ以上の高さを飛べ、雨天でも練習でき、しかもＧＰＳを使用でき、且つ周りに害を与えることなく、充分に規制の教育と練習することができ、公共への危害を手前で防止すことができ、産業上の利用可能性が極めて大きい。
【符号の説明】
【００１５】
１      壁
２      壁
３      天井
５      バルコニー
６      操縦者
７      リモコン
１０    ドローン
２０    住宅書庫
２１    車庫
２２    共同住宅通路
２３    住宅書庫
２４    共同住宅入口ホール
２５    共同住宅通路
２６    住戸
２７    住宅                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                          
２８    ビル
２９    ドローン練習場
【図１】
0006382771.tif 000002
【図２】
0006382771.tif 000003
【図３】
0006382771.tif 000004
【図４】
0006382771.tif 000005